(57)【特許請求の範囲】
【請求項１】
予備混合室を設け、
この予備混合室内にエーロゾルを導入し、
前記予備混合室内に空気を導入し、
前記エーロゾルと、前記空気とを前記予備混合室内で混合して、エーロゾル空気混合気を形成し、
第１渦室を設け、
この第１渦室内に接線方向に前記エーロゾル空気混合気を導入して渦流を発生させ、前記エーロゾル空気混合気内の未気化粒子を一層小さい粒子に破砕し、
周囲空気およびエーロゾルの流れは、エーロゾル空気混合気として先ず必ず前記予備混合室に流入し、直接前記第１渦室に入ることができないようにする
ことを特徴とする流体気化方法。
【請求項２】
前記第１渦室内で第１スピン方向に前記エーロゾル空気混合気に渦巻状のスピン作用を加え、
前記第１渦室の軸線方向に、前記第１渦室に対して順次直列的に接続した第２渦室を設け、
前記第２渦室内に前記エーロゾル空気混合気を導入し、
前記第２渦室内で前記エーロゾル空気混合気に第２スピン方向にスピン作用を加えることによって、前記エーロゾル空気混合気のスピン方向を変えることにより、前記流路に乱流を加える工程を更に有し、
前記第２スピン方向を前記第１スピン方向のほぼ反対方向にし、
前記エーロゾル空気混合気が前記第１渦室から、前記第２渦室内に流入する際、前記エーロゾル空気混合気を一定容積に維持する請求項１に記載の流体気化方法。
【請求項３】
予備混合室を設け、
周囲空気およびエーロゾルを前記予備混合室に導入して、エーロゾル空気混合気を含む流体を形成し、
第１渦室を設け、
この第１渦室内に前記流体を導入し、
前記第１渦室内に第１スピン方向に前記流体に渦巻状のスピン作用を加え、
前記第１渦室の軸線方向に、前記第１渦室に対して順次直列的に接続した第２渦室を設け、
前記第２渦室に前記流体を導入し、
前記第２渦室内で流体に第２スピン方向にスピン作用を加えることによって、流体のスピン方向を変え、
前記第２スピン方向は、前記第１スピン方向のほぼ反対方向であるものとし、
周囲空気およびエーロゾルの流れは、エーロゾル空気混合気の流体として先ず必ず前記予備混合室に流入し、直接第１渦室、及び前記第２渦室内に入らないようにする
ことを特徴とする流体気化方法。
【請求項４】
前記エーロゾル空気混合気を接線方向に前記第１渦室内に導入するのは、前記エーロゾル空気混合気を接線方向に前記第１渦室内に導入する形態にした複数個の孔を設けた第１渦室に導入することにより行う請求項１に記載の流体気化方法。
【請求項５】
前記エーロゾル空気混合気を接線方向に前記第１渦室内に導入するのは、前記エーロゾル空気混合気を接線方向に前記第１渦室内に導入する形態にした複数個の孔を設けた前記第１渦室に、前記複数個の孔を横切る圧力抵抗を変化させるよう構成した前記予備混合室から前記エーロゾル空気混合気を前記第１渦室内に導入することにより行う請求項１に記載の流体気化方法。
【請求項６】
前記エーロゾル空気混合気を接線方向に前記第１渦室内に導入するのは、一群の列、及び一群の行に配置された複数個の孔であって、前記エーロゾル空気混合気を接線方向に前記第１渦室内に導入する形態にした、前記複数個の孔を設けた第１渦室に導入することにより行う請求項１に記載の流体気化方法。
【請求項７】
前記エーロゾル空気混合気を接線方向に前記第１渦室内に導入するのは、行がそれぞれ隣接する列に対しずれている一群の列、及び一群の行に配置された複数個の孔であって、前記エーロゾル空気混合気を接線方向に前記第１渦室内に導入する形態にした、前記複数個の孔を設けた第１渦室に導入することにより行う請求項１に記載の流体気化方法。
【請求項８】
前記エーロゾル空気混合気を接線方向に前記第１渦室内に導入するのは、前記エーロゾル空気混合気を接線方向に前記第１渦室内に導入する形態にした複数個の孔を設けた第１渦室に導入することにより行う請求項２に記載の流体気化方法。
【請求項９】
前記エーロゾル空気混合気を接線方向に前記第１渦室内に導入するのは、前記エーロゾル空気混合気を接線方向に前記第１渦室内に導入する形態にした複数個の孔を設けた前記第１渦室に、前記複数個の孔を横切る圧力抵抗を変化させるよう構成した前記予備混合室から前記エーロゾル空気混合気を前記第１渦室内に導入することにより行う請求項２に記載の流体気化方法。
【請求項１０】
前記エーロゾル空気混合気を接線方向に前記第１渦室内に導入するのは、一群の列、及び一群の行に配置された複数個の孔であって、前記エーロゾル空気混合気を接線方向に前記第１渦室内に導入する形態にした、前記複数個の孔を設けた第１渦室に導入することにより行う請求項２に記載の流体気化方法。
【請求項１１】
前記エーロゾル空気混合気を接線方向に前記第１渦室内に導入するのは、行がそれぞれ隣接する列に対しずれている一群の列、及び一群の行に配置された複数個の孔であって、前記エーロゾル空気混合気を接線方向に前記第１渦室内に導入する形態にした、前記複数個の孔を設けた第１渦室に導入することにより行う請求項２に記載の流体気化方法。
【請求項１２】
前記流体を前記第１渦室内に導入するのは、前記流体を接線方向に前記第１渦室内に導入する形態にした複数個の孔を設けた第１渦室に導入することにより行う請求項３に記載の流体気化方法。
【請求項１３】
前記流体を前記第１渦室内に導入するのは、複数個の孔を設けた前記第１渦室に、前記複数個の孔を横切る圧力抵抗を変化させるよう構成した前記予備混合室から前記流体を前記第１渦室内に導入することにより行う請求項３に記載の流体気化方法。
【請求項１４】
前記流体を前記第１渦室内に導入するのは、一群の列、及び一群の行に配置された複数個の孔であって、前記流体を接線方向に前記第１渦室内に導入する形態にした、前記複数個の孔を設けた第１渦室に導入することにより行う請求項３に記載の流体気化方法。
【請求項１５】
前記流体を前記第１渦室内に導入するのは、行がそれぞれ隣接する列に対しずれている一群の列、及び一群の行に配置された複数個の孔であって、前記流体を接線方向に前記第１渦室内に導入する形態にした、前記複数個の孔を設けた第１渦室に導入することにより行う請求項３に記載の流体気化方法。
【発明の詳細な説明】
【０００１】
技術分野
本発明は流体気化均質化装置、及び流体を気化し、均質化する方法、また、特に微細に均質化され、又は気化された気相の流体混合物を製造する装置、及び方法に関するものである。
【０００２】
発明の背景
液体、又はエーロゾルを気相の流体に変換する目的で、多くの形式の装置が数年にわたり開発されている。これ等の装置の多くは内燃機関に使用する燃料を用意するために開発されている。機関燃焼室内での燃料の酸化を適切なものにするためには、一般に、燃料空気混合気を更に気化し、均質化して、化学量論的気相混合物を得ることである。理想的な燃料の酸化を行えば一層完全燃焼し、汚染も少なくなる。
【０００３】
また特に、内燃機関に対する化学量論は、所定量の燃料を完全燃焼させるのに必要な酸素の量を均質な混合気内に供給して、不完全酸化、又は非効率酸化から生ずる残留ガスが無い最適な正しい燃焼を行うための一つの条件である。理想的には、燃焼室に入る前に、燃料は適正な酸化のため、完全に気化し、空気と相互に混合し、均質化していなければならない。一般に、未気化の燃料滴は通常の内燃機関、及び外燃機関内で点火せず、完全に燃焼せず、燃料効率、及び大気汚染の問題を生ずる。
【０００４】
燃料の不完全酸化、又は非効率酸化があると、窒素酸化物を伴う未燃焼炭化水素、一酸化炭素、及びアルデヒドのような汚染物質として、内燃機関、又は外燃機関から残留物が排出される。放出物の法基準に合わせるためには、これ等の残留物は通常、触媒転化器、又はスクラバーにおける更なる処理を必要とする。このような残留物の処理は触媒転化器、又はスクラバを作動させるため、燃費が増大する。従って、不完全燃焼からの残留物を減らすことは、経済的にも、環境的にも有利である。
【０００５】
上述の問題の他に、完全に気化せず、化学量論的でない燃料空気混合気は燃焼機関の効率を低下させる。燃料の化学的エネルギの小部分は機械的エネルギに変換するから、燃料のエネルギは浪費され、不必要な熱汚損を生ずる。従って、燃料空気混合気を更に細かく破砕し、完全に気化すれば、高い機関効率が得られる。
【０００６】
燃料の気化、及び燃料の不完全燃焼に関する上述の問題を軽減するための試みがなされている。例えば、米国特許第4515734 号、第4568500 号、第5512216 号、第5472645 号、及び第5672187 号は機関の吸気マニホールドに燃料を供給する際、燃料を気化する種々の装置を開示している。これ等の従来の装置は燃料と、空気とを気化するため一連の混合部位、及びベンチュリを有している。
【０００７】
上述の先行技術の装置は関連する機関内での炭化水素の燃焼割合が比較的高いことにより、燃焼機関の作動に或る有利な点はあるが、これ等の先行技術の装置には或る問題点がある。
【０００８】
第１に、渦室内に空気を入れる孔は３個の孔が単一な行になるように配置されている。渦室内へのこのような空気の導入は渦室内の流体を渦室の内壁に沿って流体の別々な環に分離してしまう。通常、このような１個の環は１個の孔に関連する。渦室の壁に沿って、環の中に集まろうとする流体の傾向は所定の渦室内での乱流の度合（従って、気化の効率）を必然的に制限してしまう。
【０００９】
更に、先行技術の装置は平滑な円筒内壁を有する渦室を採用している。平滑な渦室内壁の構造は所定の渦室内に発生する乱流の程度を制限し、渦室内の気化の有効割合を制限してしまう。
【００１０】
先行技術の装置に認められる欠点は渦室に達する種々の入口における差圧を補正することができないことである。空気燃料混合気は種々の渦室に通るから、付加的空気が各室内に接線方向に加わり、種々の入口で差圧を発生する。これ等の全ての入口において、渦室に周囲空気を供給するから、混合気が渦室を通過する際、空気燃料混合気の空気対燃料比を最適に維持するのが困難であった。
【００１１】
先行技術の既知の装置に関連する差圧の問題の他の態様は流路の低圧端に一層近く（機関マニホールドに一層近く）位置している渦室は著しく一層多い流れを受理することによって、他の渦室の作用を抑制する傾向がある。この傾向は、機関を加速している期間中に、特に顕著であり、問題がある。流路の低圧端に一層近い渦室は他の渦室の作用を抑制してしまうから、他の渦室の有効性は著しく減殺される。
【００１２】
先行技術の遠心気化装置も或る欠点があり、それはあまりにも容積が大きいこと、遠心室内に接線方向に流体を有効に導入することができないこと、機関マニホールドの負圧の吸引力を不必要に妨げていること、及び遠心作用を加えた内容物が機関マニホールド内に不均一に排出されることである。
【００１３】
先行技術の遠心気化装置の付加的な欠点は空気と燃料とを渦室内に加える前に、周囲空気が燃料に十分に混合されていないことである。空気と燃料とが予め十分に混合されていないと、過剰の炭化水素を発生する。この問題を解決するための先行技術の試みは有効でないことがわかった。即ち気体状、又はエーロゾル状の燃料が気流中に噴霧されたとしても、渦室に入る前に、燃料は次に液化してしまうので、気流中に気体状、又はエーロゾルとして噴霧することによって得られるはずの利益を達成することができない。
【００１４】
先行技術の遠心気化装置の他の問題点はベンチュリの形態を具えることに失敗していることである。ベンチュリは機関の低速範囲での明瞭な高い応動性に関しては役割が少ないが、高速範囲での体積効率を達成するための役割が大きい。実際、先行技術の装置は高速範囲での体積効率と、低速範囲での明瞭な高い応動性との間を選択しなければならなかった。従って、高速範囲で体積効率を、低速範囲で明瞭な高い応動性を達成し得る遠心気化装置が必要である。
【００１５】
更に先行技術のサイクロン気化装置の他の問題点はそのような装置が調整可能な渦室出力ポート、及び異なる直径の隣接する室の利点を利用できないことである。
【００１６】
内燃機関への渦流技術の適用とは異なる他の問題は吸入器を通じて供給される種々の医薬に必要な極端に微細な気化に関する。吸入器は通常、肺の中へ直接吸入するため医薬の液体気体混合気を発生する。しかし、問題が発生しており、肺を通じて血流中に医薬を直接通すのに必要な高度の気化を達成することは困難であった。即ち、肺を通して、血流中に直ちに通すため、一層小さい分子の大きさの粒子に破砕されるのでなく、過剰の量の医薬が液化したままに留まる。従って、肺を通じて、直接、血流中に医薬を供給するため、液体気体混合物を十分に小さい粒子の蒸気に更に気化し、均質化する気化装置の開発が必要である。
【００１７】
また、焼却、及び廃物管理のための破断処理の利用に関しても開発が必要である。廃棄流体粒子を非常に小さい粒子寸法に破砕できれば廃棄処理装置内に導入された混合物は一層能率的に燃焼し、汚染は最小となり、廃棄流体を焼却する効率は増大する。
【００１８】
上述したところから、既知の先行技術に関連する上述の欠点を解決し、即ち、実質的に軽減する遠心渦装置を開発する必要がある。また、液体を一層小さい寸法粒子の蒸気流体に一層完全に破砕し、渦室ハウジングに形成した種々の孔に通る流れを常態化するように一層最適な乱流を生ずる渦室を有する遠心渦装置を開発する必要がある。また、更に、空気燃料混合気を渦室内に導入する前に、空気と燃料とを一層最適に、予め混合する遠心渦装置を提供することが必要である。また、一層最適に混合し、気化し、均質化し、そして微細な寸法の分子蒸気粒子を機関マニホールド内に排出し、又は吸入器形の医薬供給装置から、及び他の希望する用途に向け、又はその用途から、微細な分子蒸気粒子を排出する小形の遠心装置を提供することが必要である。
【００１９】
発明の要約、及び目的
本発明の目的は一層最適な乱流を発生することができ、渦室内の内壁上の液体の軌道環の形成を実質的に無くすることができる渦室を得るにある。
【００２０】
本発明の他の目的は第１渦室内のみに空気を導入し、混合気が次の渦室に前進しても、空気燃料混合気の空気燃料比を一定に維持する複数個の渦室を得るにある。
【００２１】
本発明の他の目的は渦室に流れる流体の乱流を増大するよう段付きの内壁面を有する渦室ハウジングを得るにある。
【００２２】
本発明の他の目的は渦室に流れる流体の乱流を増大するよう不規則内壁面、又は織物のような表面の織目内壁面を有する渦室ハウジングを得るにある。
【００２３】
本発明の他の目的は渦室に形成された数個の入力孔に入る流れの量を等しくするため、恐らくはジャケットによって形成されたテーパ空気送り通路のような差圧供給部を得るにある。
【００２４】
本発明の他の目的は遠心室内の流体の遠心作用を受ける流体を増進させるよう、遠心室内に接線方向に向く一連の接続通路を形成するため、遠心室に関連する一連の接線方向に指向する遮板を得るにある。
【００２５】
本発明の他の目的は１個、又はそれ以上の渦室を選択的に分離し、バイパスし、即ち迂回するよう一連の渦室に挿入し得る移動可能の導管を得るにある。
【００２６】
本発明の他の目的は出力ポートに通る流体の流れを調整するのを助けるため、調整自在の出力ポートを有する渦室を得るにある。
【００２７】
本発明の他の目的は機関への流体出力流れを均質化し、更に気化させるため、複数個の出力ポートを有する遠心室を得るにある。
【００２８】
本発明の他の目的は遠心室内の流体の遠心作用を受ける流れ、即ち渦流を増進し、しかも遠心室内の容積を減少させるため、遠心室の頂面のテーパ延長部を得るにある。
【００２９】
本発明の他の目的は渦室の容積を減少させることにより、また、関連するベンチュリの最大内径より高さが低い遠心垂直壁を採用することにより渦室内の乱流を増大するにある。
【００３０】
本発明の他の目的はそれぞれの渦室内の流体の流れを常態化し、等しくするため、直径を増大する一連の渦室を得るにある。
【００３１】
本発明の他の目的はベンチュリのスロートの直径対遠心出力ポートの直径の比が約 1:1.66 であるベンチュリ、及び関連する遠心室を得るにある。
【００３２】
本発明の他の目的は均質化、及び気化のため、空気燃料混合気を渦室内に導入する前に、空気と燃料とを予め混合するための予備混合室を得るにある。
【００３３】
本発明の他の目的は渦流が１個の渦室から、隣接する渦室に通る際、渦流が互いに反対スピン方向にスピン運動を行わせることによって、渦室内に一層最適な乱流を発生させると共に、一層向上された気化を達成するにある。
【００３４】
本発明の他の目的は機関の高速範囲で高い体積効率を達成し、低速範囲で高い明瞭な応動性を達成し得る遠心気化装置を得るにある。
【００３５】
本発明の更に他の目的は医薬の用途では蒸気気体混合気を分子の大きさの一層微細な寸法の粒子に破砕する装置を得るにある。本発明の更に他の目的は肺を直接通って、人の血流中に直ちに粒子を通すことができる程、蒸気液体混合気を極めて小さい寸法の粒子に破砕し得る装置を得るにある。
【００３６】
本発明の他の目的は流体の流れが焼却器内で一層最適に焼却されるように、液体粒子、及び蒸気粒子から成る流体の流れを破砕する装置を得るにある。
【００３７】
本発明の更に他の目的は燃焼プロセスから生ずる汚染を減少させるため、一層最適の燃焼を達成する程度まで、燃料を均質化する装置を得るにある。
【００３８】
本発明の他の目的は遠心ハウジングの外に流出する流体の無駄な流れを防止すると共に、遠心ハウジング内の流体の遠心作用を受ける流れを増進するよう、遠心ハウジング内に延長アームを有する装置を得るにある。
【００３９】
上述の目的は、渦室ハウジングに形成された一群の孔内に空気燃料混合気を導入する前に、空気と燃料とを組み合わせるように、特別に予め混合することによって、渦室内での流体の乱流と気化とを増進させる遠心渦装置によって達成することができる。渦室内に接線方向に空気燃料混合気を導入させるよう、渦室ハウジングにこれ等孔を形成する。全ての孔の有効な使用を可能にする差圧供給形態によって、これ等種々の孔に入る流れを等しくすることができる。
【００４０】
一実施例では、渦室ハウジングの内壁に段を設け、又は織物のような織目を付け、又は段と織目との両方を設け、渦室に通る流れの乱流を増進させる。
【００４１】
他の実施例では、遠心室には一連の遮板と、テーパ延長部とを設け、渦室内での流体の遠心作用による流れを増進させる。更に他の実施例では、一連の渦室に通して挿入し得る長導管を設け、１個又はそれ以上の渦室を選択的に分離し、及び／又は迂回、即ちバイパスさせる。更に他の実施例では、渦室に通る流れを調整するため、渦室出力部は調整自在の直径を有する。
【００４２】
添付図面を参照する次の詳細な説明によって、本発明の他の目的、要旨、及び利点は明らかになるであろう。
【００４３】
発明の詳細な説明
本明細書中、「均質化する」、又は「気化させる」、又はこれ等の語からの派生語は高速、低圧、及び高真空状態が存在する場合の、即ち差圧が存在する場合の渦状の乱流によって、液体をエーロゾル、即ち蒸気相から気相に変換することを意味する。
【００４４】
図１〜図６は本発明遠心渦装置３０の第１実施例を示す。図１に示すように、遠心渦装置３０は３個の部分、即ち、燃料気化部３２、主空気部３４、及び遠心部３６を有する。燃料気化部３２はインゼクタ板４２に形成された孔４０に取り付けられた２個の燃料インゼクタ３８を有するものとして図示されている。燃料インゼクタ３８は通常の電子燃料インゼクタから成り、約３０°の噴霧角を有するのが好適である。
【００４５】
燃料気化部３２に予備混合室４４を形成し、燃料インゼクタ３８の出力ポート４６によって、予備混合室４４内に燃料を噴霧する。周囲空気導管５０を通じて、周囲空気を予備混合室４４内に導入し、燃料インゼクタ３８によって噴霧された燃料をこの導入された周囲空気に混合する。渦室ハウジング５４の外面５２と、テーパ延長部５８の外面６８とによって、予備混合室４４を一部画成する。更に、差圧供給ジャケット６０の内面５６によって、予備混合室４４を画成する。ジャケット６０、及び渦室ハウジング５４の目的、及び機能について以下に一層詳細に説明する。
【００４６】
渦室ハウジング５４は外面５２、内室壁面６２、及び底面６３を有する。更に、渦室ハウジング５４はテーパ延長部５８を有し、予備混合室４４内の流体の流れを増進する。孔４９に挿入された止ねじ４８（図３参照）によって、インゼクタ板４２に渦室ハウジング５４を取り付ける。内室壁面６２は流体の渦流を内部に発生する渦室６４を画成する。渦室ハウジング５４の壁に支承される一群の孔６６を設け、渦室６４内に接線方向に、空気燃料混合気のような流体が入るような角度に孔６６が位置する。渦室頂端縁６１はジャケット頂部内面５５に衝合する。通常のガスケット（図示せず）を端縁６１と、頂面５５との間に介挿してもよく、これにより、端縁６１と、頂面５５との間から渦室６４内に流体が漏洩するのを防止する。
【００４７】
図３に示すように、渦室６４の周りに、一群の孔６６を複数個の列Ｒと、複数個の行Ｃとに配置し、室６４を経る渦流の乱流を増進させる。列Ｒと、行Ｃとを相互に円周方向にずらし、即ちオフセットさせるのがよい。一群の孔６６をずれた列と行とに指向させることにより、渦室６４内の流体が別々の環状に分離するのを無くし、又は少なくともこの分離をほぼ軽減する。更にこの孔の方向は所定の渦室内での乱流の程度（従って、更に蒸発の効率）を著しく増進させる。
【００４８】
渦室ハウジング５４の周りに位置しているテーパジャケット６０によって、差圧供給の形態を形成する。図面に示すように、ジャケット６０は厚さが変化する部分７５を有し、これによりテーパ内面５６に直径が増大する部分を生ぜしめる。ジャケット６０は端縁５７で終わっている。また、ジャケット６０は出力ポート７０を有し、渦室６４内で処理された後の流体はこの出力ポート７０を経て流れる。丸い隅角部７３で、ジャケット頂面５５に交差する円筒面７１によって、出力ポート７０は画成されている。ジャケット内面５６の直径はジャケット出力ポート７０に最も近い端部において、最も小さく図示されている。ジャケット内面５６の直径はこの点から端縁５７に向け徐々に増大する。この可変直径の表面はテーパ内面５６を有するように示されているが、段付きの内面も有効に採用される。
【００４９】
可変直径のジャケット内面５６は渦室ハウジング５４の周りに位置している時、ジャケット内面５６と、渦室ハウジング外面５２との間に可変幅の間隙７２を画成している。図３に示すように、この可変幅の間隙７２は一層小さい幅ｄ1 と、一層大きい幅ｄ2 を有する。可変幅の間隙７２は渦室ハウジング５４に形成された孔６６を横切って可変の差圧を発生すると共に、ポート７０から一層遠く位置している孔６６よりも、ポート７０に一層近く位置している孔６６を通ずる流れを一層制限する。従って、ジャケット出力ポート７０に対する孔の位置に従って、種々の入力孔６６に流体の差圧を生ずる。作動に当たり、出力ポート７０に最も近い孔６６には一層高い圧力を生ずる。これはこの端部は燃料気化部３２の低圧端を有するからである。
【００５０】
渦室ハウジング５４に形成された孔６６の周りに、ジャケット６０のような可変圧力を供給する形態を位置させることによって、種々の孔６６に入る流体の流れの量をほぼ等しくする。種々の孔６６に通る流体のほぼ等しい流れを生ぜしめることにより、渦室６４の効率、及び有効性を増進する。
【００５１】
内面７６を有する燃料気化ハウジング７４内に取り付けた状態で、ジャケット６０、及び渦室ハウジング５４を図１に示す。特にジャケット６０の頂部外面７９（図３参照）はハウジング７４の頂部内面７７に隣接して位置する。上述した周囲空気導管５０は燃料気化ハウジングの内面７６と、テーパ延長部５８の外面６８とによって画成される。
【００５２】
インゼクタ板４２を図１、図３、図４、図５、及び図６に示す。インゼクタ板４２は底面４７に貫通形成された１対の孔４０を有し、この孔に燃料インゼクタ３８（図１参照）を収容する。更に、インゼクタ板４２は第１肩部３９と、第２肩部４１とを有する（図４、及び図５参照）。第１肩部３９は連結部材４３に衝合し、第２肩部４１はジャケット端縁５７（図１参照）に衝合する。円筒中心延長部４５は止めねじ４８を介して、テーパ延長部５８（図１参照）に衝合し、連結されている。
【００５３】
図１、及び図２に示すように、主空気部３４は主吸気ハウジング８０と、ベンチュリ体８２と、通常の蝶形絞り板８４とを有する。主空気部３４の一端に吸気開口８６を位置させる。この吸気開口８６は環状内面９２を有する内部円筒部９０に達する。
【００５４】
内部円筒部９０内に、通常の絞り板８４を枢着する。この絞り板８４は回転自在の中心軸９６に取り付けられており、中空内部９０に通る気流の方向を横切って、中心軸９６は延在する。この中心軸９６の回転によって、中空内部９０内での絞り板８４の傾斜角度を調整し、これにより空気の容積、即ち機関に受け入れられる空気燃料混合比を変化させる。
【００５５】
主吸気ハウジング８０内に周囲空気通路１００を形成する。この空気通路１００は主吸気ハウジング８０に形成された溝孔９４に流体連通する。順次の周囲空気導管１０２、５０は通路１００、及び溝孔９４を通じて、予備混合室４４内に空気を通す。
【００５６】
ベンチュリ８２を主空気部３４内に取り付ける。このベンチュリ８２は入力部１０４、複数個の長孔１０６、及びベンチュリ出力部１１０を有する。更に、ベンチュリ８２はベンチュリ外面１１２と、ベンチュリ内面１１４とを有する。図面に示すように、ベンチュリ内面１１４の直径はベンチュリ入力部１０４、及びベンチュリ出力部１１０で最大になっている。ベンチュリ内面１１４の直径はベンチュリ入力部１０４、及びベンチュリ出力部１１０でほぼ同一である。これに反し、ベンチュリ内面１１４はベンチュリスロート１１６で最小である。このベンチュリスロート１１６に隣接して、ベンチュリ内面１１４に環状段を形成している。
【００５７】
また、主空気部３４に横環状端縁１２２（図１、及び図２参照）を設け、環状外側隅角部１２４で、この横環状端縁１２２を環状内側面９２に交差させる。環状面１２６も環状隅角部１３４において、横端縁１３２に交差する。接着剤により、又は締まりばめにより、又はその他の通常の手段により、ベンチュリ８２の外面１１２を環状面１２６に取り付けることにより、環状面１２６に隣接して、主空気部内にベンチュリ８２を位置させる。
【００５８】
主空気部３４に中間混合室１３６（図１参照）を形成し、ジャケット出力部７０を出る、スピン作用を受ける柱状の流体をたたみ込んで、この流体が細長い孔１０６を経て、ベンチュリ８２に入る前に乱流によって混合する。中間混合室１３６は更に流体を気化し、均質化する。この中間混合室は環状面１２６と、隅角部１４２で交差する横環状面１４０とによって画成されている。遠心部３６は横端縁１３２において、主空気部３４に取り付けられている。
【００５９】
ベンチュリ出力部１１０から排出された流体は吸気開口１４４を通じて、遠心部３６に通る。一般に遠心部３６は遠心ハウジング１４２、吸気開口１４４、入口室１４６、遠心室１５２に対し接線方向に指向する一連の遮板１５０、及び複数個の出力通路１５４を有する。図面に示すように、遠心ハウジングはほぼ円筒形態を有し、吸気開口１４４によって、遮断される環状の垂直に指向する壁面１５６を有する。この壁面１５６は頂壁１６０（図２参照）と一体に形成されている。
【００６０】
図２に示すように、ボス部１６２は遠心頂壁１６０から下方に延びる。ボス部１６２は内面１６４と、外面１６５とを有し、これ等面はいずれも形状は放物線状に示されている。次に一層詳細に説明するように、ボス部１６２は実質的に遠心室１５２の容積を減少させ、遠心室１５２内のボス部の周りの流体の円形の遠心作用による流れを増進させる。
【００６１】
頂壁１６０の反対側に、遠心室１５２内に特殊輪郭の底部挿入部１６６を位置させる。この特殊輪郭の底部挿入部１６６は特殊輪郭の頂面１７０と、特殊輪郭の底面１７２とを有する。特殊輪郭の頂面１７０は環状平坦部１７４、上方指向湾曲部１７６、及び円錐形中心部１８０とを有する。図面に示すように、各出力部１５４は円錐形中心部１８０に形成された出力開口１８２を有する。
【００６２】
上述したように、遠心部３６は入口室１４６内に位置する接線方向に指向する一連の遮板１５０を有する。各遮板１５０は先端縁１８４と、中間隅角部１８６と、丸い後端１９０とを有する。先端の平坦面９２は先端縁１８４と、隅角部１８６との間に形成されている。平坦面１９４は先端縁１８４と、後端１９０との間に形成されている。最後に、表面１９６は隅角部１８６と、後端１９０との間に形成されている。
【００６３】
隣接する遮板１５０の表面間に形成された複数個の接線方向の流体流通路２００を生ずるように、遮板１５０を相互に相対的に配列している。更に、入口室１４６の垂直に指向する壁２０６と、この壁２０６に隣接する遮板１５０の表面１９４との間に接線方向の通路２０２を形成する。更に、入口室１４６の垂直壁２１０と、この垂直壁２１０に隣接する遮板の表面１９２との間に接線方向の通路２０４を形成する。
【００６４】
図１に示すように、各後端の平坦面１９４は遠心部３６の環状壁１５６に対する接線方向に指向している。従って、通路２００、２０２、２０４を通じて、遠心室１５２内に導入される流体の流れは、環状壁１５６に対し、ほぼ接線方向に導入され、室１５２内の流体の円形の遠心作用による流れを増進させる。
【００６５】
機関マニホールド（図示せず）に遠心ハウジング１４２を取り付けるため、遠心ハウジングに取付け位置２１２、２１４、２１６を形成し、インタフェイス板１４３を介して、ボルト１８０（図２参照）のような緊締具により、遠心ハウジング１４２を機関に取り付けられるようにする。
【００６６】
図７に本発明の代案の実施例を示す。この実施例は渦室組立体２２０を示し、この組立体は通常の電子燃料インゼクタ２２２、第１渦室ハウジング２２４、及び次の渦室ハウジング２２６、２２８、２３０、２３２を有する。この形態において、各室ハウジング２２６〜２３２は専らその前の室ハウジングからの流体の流れを受け取る。例えば、室ハウジング２２８は室ハウジング２２６の出力部からの流体を専ら受けとる。
【００６７】
インゼクタ板２３６に形成された孔２３４内に、燃料インゼクタ２２２を取り付ける。各燃料インゼクタは予備混合室２４２内に燃料を噴霧する出力ポート２４０を有する。周囲空気導管２４４を介して、周囲空気を予備混合室２４２内に導入する。予備混合室２４２、及び周囲空気導管２４４の形態、及び機能は図１に示した予備混合室４４、及び周囲空気導管５０の形態、及び機能に類似する。
【００６８】
室ハウジング２２４、２２６、２２８、２３０、２３２はそれぞれ渦室２４８、２５０、２５２、２５４、２５６を画成する。各室ハウジング２２４〜２３２は一群の孔２６０〜２６８を有する。図３に示したものと同様、各一群の孔２６０〜２６８は複数個の列、及び複数個の行に配置されている。更に、各一群の孔２６０〜２６８はずれた形態に配置されており、これにより、それぞれの渦室２４８〜２５６に通る垂直な流れの乱流を増進させる。
【００６９】
室ハウジング２２４、２２６、２２８、２３０、２３２の周りにそれぞれ位置しているテーパジャケット２７２、２７４、２７６、２７８、２８０によって差圧供給導入口を形成する。これ等の各機能は図１に関連して説明したジャケット６０に類似する。各ジャケット２７２〜２８０はそれぞれ内面２８４、２８６、２８８、２９０、２９２を有する。各ジャケット内面２８４〜２９２はそれぞれ一定直径部２９６、２９８、３００、３０２、３０４と、可変直径内面部３０８、３１０、３１２、３１４、３１６とを有する。各室ハウジング２２４、２２６、２２８、２３０、２３２はそれぞれの外面部３１８、３２０、３２２、３２４、３２６を有する。ジャケットは表面３３０〜３３８と、表面３０８〜３１６との間にそれぞれ可変寸法の間隙３３０、３３２、３３４、３３６、３３８を形成する。このようにして、可変の間隔の間隙により孔２６０〜２６８の位置によって、種々の孔２６０〜２６８に流体の差圧を発生させる。これ等間隙の機能は間隙７２（図１、及び図２参照）と同様である。
【００７０】
更に、各ジャケット２７２〜２８０は次の渦室に流体連通するそれぞれの出力ポート３４０〜３４８を有する。図８〜図１０はジャケット２７８、渦室２５４を詳細に示す。各出力ポート３４０〜３４８は図９、及び図１０に符号３４９によって示すＵ字状溝孔の形状である。出力ポート３４０〜３４６はそれぞれ次の混合室３５０、３５２、３５４、３５６に流体連通しており、孔２６２〜２６８は専ら出力ポート３４０〜３４６からの流体混合物を受けとるが、流体の流れが渦室２５０〜２５６に通る際、付加的空気が流体の流れに導入されないから、ほぼ一定の空気第２流体混合物を維持する。更に、混合室２４２、３５０、３５２、２５４、３５６を通ずる流れが混合し、渦になる性質を増進するため、各室ハウジング２２４〜２３２は円錐形のテーパベース部３５８を有する。
【００７１】
通常の止めねじのような緊締具（図示せず）を収容するため、ジャケット２７４〜２８０に孔３６８を形成し、ジャケット下部３７０を先行するジャケット上部３７２に、又は気化ハウジング３７４に取り付ける。
【００７２】
図１１〜図１３は図７に示すような複数個の渦室に使用するためのジャケット室組立体の代案の実施例を示す。特に、一定直径内面３７７、可変直径内面３７８、出力ポート３７９、及び出力孔３８１を有するようにジャケット３７６を示す。室ハウジング３８３は或る角度をなして形成された複数個の孔３８５を有するように示されており、この孔は渦室３８７内に接線方向に達する。ハウジング３７６の内面３７８と渦室３８３の外面３９１との間に可変に離間された間隙３８９を形成する。
【００７３】
図１４は本発明による渦室の他の代案の実施例を示す。外面３８２、及び内室壁３８４を有する室ハウジング３８０は渦室３８６を画成している。室３８６内の渦巻の流れに乱流を増大するため、渦の流れの中の未気化粒子を一層小さい粒子に破断するため、内壁室壁３８４に段３８８を形成する。図面に示すように、各段３８８は傾斜面３９０と、横面３９２とを有する。複数個の傾斜孔３９４をハウジング３８０に形成し、横面３９２において、傾斜孔３９４を内室壁３８４に交差させる。流体が渦室３８６に流れる際、段３８８は種々の横面３９２に隣接して比較的小さな渦流を発生させ、室３８６に通る流れの乱流を増進させる。
【００７４】
室３８６内の渦の流れの乱流を増大する代わりの、又は付加的方法として、渦の流れの中の未気化粒子を一層小さい粒子に破断するとともに、未気化粒子の気化を増進するため、内室壁３８４は織物のような表面である織目表面を有する。織目表面、又は不規則表面は粗い粒度のサンドブラストによるか、又はガラスビードを加えて形成することができる。織目の、又は不規則な内室壁面は流体をして一層乱流状態に、室３８６を通じて、流させる。未気化粒子は織目の内室壁面に衝突する時、未気化粒子は拡散し、一層小さい粒子に破断し、平滑な内壁面に比較し、一層容易に気化する。
【００７５】
図１５〜図１７は本発明渦組立体の更に他の代案の実施例を示す。図１５に示すように、遠心渦装置４００は主空気部４０４に流体連通する燃料気化部４０２を有する。主空気部４０４は遠心部４０６に流体連通している。燃料気化部４０２は内側面４１２を有する主空気ハウジング４１０を有する。この内側面４１２は周囲空気を導入する主空気室４１４を画成している。主空気ハウジング端縁４１８に沿って、主空気ハウジング４１０にベース板４１６を取り付ける。ベース板延長部４２２によって、ベース板４１６内にインゼクタ板４２０を取り付ける。室ハウジング４２８内に形成された第１渦室４２６内に燃料を噴霧するため、インゼクタ板２０内に燃料インゼクタ４２４（図１５には１個のみを示し、他の燃料インゼクタは図示の燃料インゼクタの直ぐ後に位置している）。また、第２渦室４３０、第３渦室４３２、及び第４渦室４３４を室ハウジング４２８内に形成する。
【００７６】
渦室４２６、４３０、４３２、４３４に空気を入れるため、室ハウジング４２８に角度をなして、複数個の孔４３６（図１６、及び図１７参照）を形成し、これ等孔が接線方向に各渦室内に入るようにする。各孔は内面４３８〜４４４に対しほぼ接線方向に指向しており、空気は各渦室４２８、４３０、４３２、４３４内に接線方向に導入される。これ等の孔を一群の列と行とに形成し、行がそれぞれ隣接する列に対しずれているのが好適である。
【００７７】
流体が室４２８〜４３４に通過する際、乱流、差圧、剪断力、及び流体に加わる速度の変化を増進させるため、隣接する室内に反対方向の接線方向に一群の孔４３６を指向させるのが有利である。例えば、室４２８の孔はこの室４２８内に第１渦流方向に流体を導入するように指向しており、室４３０の孔はこの室４３０内に第２渦流方向に流体を導入するように、室４２８の孔の方向の反対方向に指向している。
【００７８】
テーパジャケット４５０によって形成された差圧供給の形態は一連の渦室の外側の周りに設けられる。ジャケット４５０を渦室ハウジング４２８の端部４５２に取り付ける。ジャケット４５０はテーパ部４５４と、長管部４５６とを有する。ジャケット部４５４はジャケット６０（図１参照）にほぼ類似する形態を有し、ほぼ類似する作動をし、外面４５８と、可変直径内面４６０とを具え、内面４６０と外面４６４との間に可変幅の間隙４６２を形成している。
【００７９】
可変幅の間隙４６２は室ハウジング４２８に形成された孔４３６を横切って種々の圧力抵抗を生ずる。室ハウジングの下流端４５２に向け、間隙が一層狭くなり、流体圧力は最高になる。この点から上流方向に、室４３２、４３０、４２８に向け流体圧力は減少する。この形態においては、孔４３６を横切る圧力抵抗はその孔の位置によって変化する。また、ジャケット４５０は出力ボス４７０を有し、この出力ボスは環状ボス外面４７２と、環状ボス内面４７４とを有する。このジャケットの出力ボスの目的と機能とを以下に説明する。
【００８０】
ジャケット４５０の管部４５６は内面４６６と、外面４６８とを有する。内面４６６は管中空内部４７０を画成している。螺旋状に巻いたソレノイド４７６をジャケット４５０の管部４５６の周りに取り付けて、管内部に選択的に磁界を発生させる。導管ベース４８０に一体に形成された長導管４７８をジャケット管部４５６内に摺動できるように位置させ、図１６に示す位置と、図１７に示す位置との間に、導管ベース４８０が管部４５６内で移動できるようにする。ばね４８２のような押圧部材を導管ベース４８０と、ジャケット部４５４との間に、ジャケット管部４５６内に配置する。ばね４８２は導管ベース４８０を図１７に示す位置に選択的に維持する。
【００８１】
図１７に示すように、ソレノイド４７６を付勢しない時、長導管４７８は渦室４２８〜４３４から後退している。ソレノイド４７６を付勢すると、導管ベース４８０を図１６に示す位置に動かし、従って、ばねを圧縮し、長導管４７８を前進させ、室出力部４８４、４８６、４８８を通じて、長導管４７８を室出力部４９０に直接連通させる。ソレノイド４７６を作動させ、図１５、及び図１６に示す位置に長導管４７８を動かすと、ハウジング４２７に通る渦流を渦室４２８内に分離し、残りの室４３０、４３２、４３４を選択的に迂回する。
【００８２】
機関の加速、減速の遷移期間中の０．５秒程度の期間内に、長導管４７８が選択的に、簡単に図１５、及び図１６に示す位置に動くのが有利である。これ等の期間中、室４２８を選択的に分離することによって、「加速スタンブル」の良く知られた問題がほぼ軽減させる。
【００８３】
一般に、加速スタンブルの問題は加速と減速との遷移期間中に発生する。例えば、図１５について、加速期間中、絞り板５１８は開くから、主空気室４１４内の圧力は降下する。この圧力降下により、渦室４２６、４３０、４３２、４３４内に入る空気の量が減少する。渦室に入る空気が少ないと、燃料インゼクタ４２４から噴霧された燃料の一層少ない部分が渦室を通じて機関に運ばれるから、比較的燃料が少ない燃料空気混合気となる。この期間中、燃料は渦室に有効に通らないから、或る量の燃料が渦室４２６、４３０内に堆積する。従って、堆積した燃料が残りの渦室に通るから、燃焼機関（図示せず）に燃料が多い混合気が供給される。燃料が少ない期間の次に燃料が多い期間が来るため、この空気燃料比が急激に変化することに関連する機関の困難性を「加速スタンブル」と称する。
【００８４】
更に、上述したような長導管４７８を採用することによって、この流体中の炭化水素の量は著しく減少する。更に、加速、減速中に、室４３０〜４３４をバイパスさせることによって室４３０〜４３４が室４２８を制限するのを防止することができる。
【００８５】
図１５に示すように、主吸気部４０４は円筒吸気部５００を有する。環状通路５０２を吸気ポートに形成し、通常の周囲空気導管（図示せず）の取付けを容易にする。また、吸気ポート５００は中間ハウジング５１０に形成された周囲空気導管５０８内に空気を導入する。図面に示すように、中間ハウジング５１０は主空気ハウジング４１０に剛固に取り付けられており、中間ハウジング５１０は同心孔５１２、５１４を有する。ジャケット管部４５６の下流端５１８を孔５１２内に取り付けて、下流端５１８から排出された流体がジャケット管部４５６から孔５１４を経て、主吸気部４０４内に通るようにする。
【００８６】
機関（図示せず）に入る空気の容積を調整するため、回転できる中心軸５２０に通常の絞り板５１８を取り付ける。この中心軸５２０は主空気部４０４に通る気流の方向に対し横方向に延在する。
【００８７】
ベンチュリ５０６は大径吸気開口５２２と、狭いスロート部５２４と、大径の空気燃料混合気出力開口５２６とを有する。更に、ベンチュリ５０６はベンチュリ外面５２８と、ベンチュリ内面５３０とを有する。ベンチュリ内面５３０の直径はベンチュリの狭いスロート５２４で最小であり、吸気開口５２２、及び出力開口５２６で最大である。ベンチュリ出力開口５２６は主空気部出力通路５３２に直接連通しており、主吸気部４０４から遠心部４０６内に流体を排出する。
【００８８】
遠心部４０６はほぼ円筒形の形態を有する。この遠心部は外面５３６と、内面５３８とを有する環状壁５３４を具える。壁５３４は吸気開口５４０によって途切れており、これにより、ベンチュリの出力通路５３２からの流体を遠心室５４２に収容する。更に、遠心室５４２は遠心頂板５４４と、遠心底板５４６によって画成されている。
【００８９】
遠心底板５４６に大径出力孔５４８を形成し、これにより流体を遠心室５４２から排出する。最小直径５５２と、最大直径５５４とを有する丸い表面５５０によって出力孔５４８を画成する。
【００９０】
出力孔５４８における真空圧を増進するため、スロート５２４におけるベンチュリ内面５３０の直径対最小直径５５２の比を1.58:1より大きくし、好ましくは1.66:1より一層大きくする。
【００９１】
壁５３４から突出する取付けフランジ５５６に形成された孔５５８を介して、遠心ハウジング４０６を機関（図示せず）に取り付けられるようにする。
【００９２】
図１８は本発明の渦室組立体の更に他の代案の実施例を示す。室ハウジング５７０は外面５７２と、内面５７４、５７６、５７８、５８０、５８２とを有する。内面５７４〜５８２はそれぞれほぼ円筒形で、渦室５８４、５８６、５８８、５９０、５９２をそれぞれ画成している。
【００９３】
孔５９４は一群のずれた列と行とに、室ハウジング５７０に、接線方向に形成されており、これにより各渦室５８４〜５９２内に、流体は接線方向に入る。流体がこのように接線方向に入ることによって、渦室を通る流体の乱流の渦流を生じ、流体を一層小さい粒子に破断し、渦流内の残りの液体粒子を気化させる。図面に示すように、孔５９４は複数個の列と、複数個の行とに配置され、好ましくは、列と行とがずれており、これにより、室５８４〜５９２に通る流れの乱流の性質を増進する。
【００９４】
円筒形出力フランジ５９６は外面５９８と内面６００とを有する。この出力フランジを室ハウジング５７０の上流端６０２に取り付ける。内面６００は渦室ハウジング５７０の渦室５８４からの出力、即ち流体の流路を画成する。図面に示すように、渦室５８４〜５９２は順次直径を減少させている。即ち、内面５８２の直径は内面５８０の直径より一層小さく、内面５８０の直径は表面５７６の内面より一層小さく、この内面は内面５７４より一層小さい。このような形態にすると、出力部６０４に低圧端を有し、上流端６０６に隣接する高圧端を有する渦流の状態で、流体は室５８４〜５９２を通過するから、低圧端に最も近い室（室５８４、５８６）が高圧端６０４に最も近い室（室５９０、５９２）よりも、孔５９４を通じて一層多くの流体を収容する傾向を著しく減少させる。
【００９５】
更に、流体が室５８４〜５９２を通過する際の流体の気化を増進するため、適切な寸法のノズル６０８（図１８参照）を各室５８４、５８６、５８８、５９０のそれぞれ上流に位置させる。ノズル６０８は渦室に通る流体に、付加的差圧を受けさせ、従って、流体粒子の気化と、破断とを増進させる。締まり嵌めによる取付けにより、室５８４〜５９０の上流端内に取り付けられるようにノズル６０８の寸法を定めるのがよい。
【００９６】
図１９は本発明の他の実施例を示す。図面に示すように、図１９は外面６１４と、内面６１６、６１８、６２０、６２２、６２４とを有する室ハウジング６１２を具える渦室の形態６１１を示す。内面６１６〜６２４はほぼ円筒形で、それぞれ渦室６２６、６２８、６３０、６３２、６３４を画成している。渦室６２６〜６３４の内面６１６〜６２４に対し、接線方向に孔６３６を形成する。室ハウジング６１２に一群をなして孔６３６を形成し、渦室６２６〜６３４内に接線方向に流体を流入させる。この接線方向の流体の流入によって、渦室に通る渦流を生ぜしめ、流体を一層小さい粒子に破断すると共に、渦流内の液体粒子を一層気化し、一層均質化する。
【００９７】
円筒出力フランジ６４０を室ハウジング６１２の端部６４２に取り付ける。出力フランジ６４０は内面６４４と、外面６４６とを有する。出力フランジ内面６４４によって出力ポート６４８を画成する。出力フランジ６４０は出力フランジ５９６（図１７参照）に類似しているが、相違するのは内面６４４の直径が内面６００（図１７参照）の直径より一層小さいことである。更に、出力フランジ６４０は孔６５０を有し、この孔を通して、ねじ（図示せず）を選択的に通すことができ、これにより出力部材６４０を通る流動抵抗を調整する。出力ポート６４８内にこのねじを前進させればさせる程、渦流が出力ポート６４８を通る際、一層多くの空気抵抗を渦流に与える。
【００９８】
一般に、渦形態を通ずる空気抵抗は出力孔の直径を変化させることにより、及び／又は渦形態内の隣接する渦室間の通路の直径を変化させることにより、変化させることができる。図１８の実施例はノズル６０８に起因して、隣接する渦室の間の比較的大きな出力通路、及び比較的小さな通路を示している。これに反し、図１９の実施例は室の間に一層小さい出力通路、及び一層大きい通路を示している。或る用途では、図１９に示す実施例は図１８の実施例より好適であることがわかった。
【００９９】
図２０は本発明の付加的な実施例を示す。特に、図２０は出力ハウジング６６２に形成された調整可能の横断面積を有する出力ポート６６０に組み合わせた図１８の室ハウジング５７０を示す。図面に示すように、出力ハウジング６６２は外面６６４と、内面６６６とを有し、出力ハウジング６６２は室ハウジング５７０の出力部６０４に隣接して位置する。内面６６６は出力ポート６６０を画成し、この出力部内に出力部６０４から流体が流入する。
【０１００】
ハウジング６６２もアクチュエータ取付け延長部６７０を有する。この取付け延長部６７０は円筒内面６７２と、ねじ内面６７４とを有する。ステップモータ６７６のようなアクチュエータはアクチュエータハウジング６７０の対応するめねじ部６７４に螺着し得るおねじ部６８０を有する。
【０１０１】
ステップモータ６７６はリニアアクチュエータとして作用し、導管６６８に形成された円錐座６８１に対し、円錐ブロック６７８を動かす。円錐座６８１は平坦底面６８３と、円錐状側面６８５とを有する。円錐ブロックの端面６８９が円錐座底面６８３に接触している時、側面６８５が円錐ブロック６７８の側面６８７に掛合するように側面６８５の寸法を定める。
【０１０２】
従って、座６８１に対し円錐ブロック６７８を選択的に動かすことによって、内面６６６によって形成された通路の有効横断面積を選択的に変化させる。希望する出力に応じて、導管６６８の横断面積を増大し、又は減少させる。更に、出力ポート６６０に通る空気抵抗は座６８１に対し、円錐ブロック６７８を動かすことによって、変化させることができる。
【０１０３】
図２１は本発明の他の代案の実施例を示す。この実施例は燃料気化部７０２、主空気部７０４、及び遠心部７０６を有する遠心渦装置７００を示している。燃料を遠心渦装置７００内に入力させるため、２個の燃料インゼクタ７０８を有するように、この燃料気化部７０２を示している。入力端７１４から出力端７１６まで貫通する通路７１２を有する燃料レール７１０に燃料インゼクタ７０８を連結する。通路７１２の入力端７１４を通常の燃料ポンプ（図示せず）に連結し、出力端７１６を通常の燃料調整器（図示せず）に連結し、この燃料調整器を燃料タンク（図示せず）への復帰管に連結する。
【０１０４】
インゼクタ板７２０によって、遠心渦装置７００内に燃料インゼクタ７０８を取り付ける。燃料インゼクタ出力ポート７２２から燃料を２個の渦形態の装置６１１内に噴霧する。各渦形態の装置６１１は図１９に示す渦形態の装置と同一である。２個の渦形態の装置６１１は燃料インゼクタ板７２０に隣接して位置しており、燃料インゼクタ７０８の出力ポート７２２に流体連通しており、出力ポート７２２から２個の渦形態の装置６１１内にエーロゾル燃料を直接、噴霧することができる。
【０１０５】
２個の渦形態の装置６１１を空気箱７２４内に取り付ける。空気箱７２４は側壁７２６、側壁７２８、底板７３０、及び頂板７３２を有するように示されている。周囲空気導管７３６と、渦形態の装置６１１に形成された孔６３６（図１９参照）との間の導管として、空気室７３４を空気箱７２４内に形成する。
【０１０６】
ゴムホース７４０から成るように周囲空気導管７３６を示す。周囲空気を渦形態の装置６１１に供給するため、周囲空気導管７３６は周囲空気溝孔７４２を室７３４に相互に連結する。図面に示すように、ねじ継手７４１によってホース７４０を溝孔７４２に連結する。
【０１０７】
各渦形態の装置６１１の出力フランジ６４０（図１９参照）と頂板７３２の内面７４８との間に介挿されたブラケット７４４によって、空気箱７２４内に渦形態の装置６１１を取り付ける。各渦形態の装置６１１の出力ポート６４８（図１９参照）は主空気部のハウジング７５２に形成された中間混合室７５０内に流体を排出する。一般に、中間混合室７５０は出力ポート６４８（図１９参照）を出るスピン作用を受ける支柱状の流体をたたみ込んで、流体が一連の長孔７７０を通じて、ベンチュリ７５６に入る前に、この流体を乱流状態に混合する。中間混合室７５０内での流体の上述の作用によって、流体を一層小さい粒子に破断し、渦流中の液体粒子を更に気化し、均質化する。
【０１０８】
主空気部７０４は更に周囲空気吸気ポート７６０を有し、ポート７６０を通じて、気流Ｆを主空気部７０４に入れる。通常の絞り板７６２をベンチュリ７５６内に枢着する。絞り板７６２を回転可能な中心軸７６４に取り付ける。この中心軸７６４はベンチュリ７５６に通る気流Ｆの方向に横方向に延在する。軸７６４が回転することによって、ベンチュリ７５６内の絞り板７６２の傾斜角を調整し、空気の容積、従って、機関に収容する空気燃料混合気を変化させる。
【０１０９】
上述したように、空気燃料混合気は渦形態の装置６１１から中間混合室７５０内に通る。次に、この空気燃料混合気は中間混合室出力部７５８を経て、更に一連の長孔７７０を経て、ベンチュリ７５６内に入る。従って、ベンチュリ７５６内で、絞り板７６２を横切る周囲空気は孔７７０を通る空気燃料混合気に混合する。
【０１１０】
ねじ７７２、７７４のような緊締具によって、遠心部７０６を主空気部ハウジング７５２に剛固に固着する。遠心部７０６は内面７７８、及び外面７８０を有する遷移ハウジング７７６を具えるように示されている。ベンチュリ７５６から流体を遠心室７８４に通すため、内面７７８が遷移通路７８２を画成している。図面に示すように、接線方向に遠心室７８４内に流体を入れるため、遷移通路７８２は中心渦装置室７８４に対し、ほぼ接線方向に指向する。遷移通路７８２を遠心室７８４に対し、ほぼ接線方向に、指向させることによって、この装置を経る空気抵抗は減少し、遠心室７８４に通る流体の遠心作用を受ける流れは増進する。
【０１１１】
延長アーム７８８は通路７８２に隣接して位置し、遠心室７８４内に突出しており、これにより、室７８４内に排出された後、流体が再び通路７８２に入るのを防止する。延長アーム７８８は前面７９２、及び後面７９４を有する壁７９０を具えるように示されている。図面に示すように、延長アーム７８８は遷移ハウジング７７６に取り付けられていて、この遷移ハウジングから突出している。前面７９２と後面７９４とは一端で横面７９６によって交差している。従って、ベンチュリ７５６からの流体の流れは中間室７８２を経て、遠心室７８４内に入るから、遠心室７８４から中間室７８２内に戻る流体の復帰は延長アーム７８８の存在によって、全く無くなる訳でないが、ほぼ防止される。図面に示すように、延長アーム７８８の前面７９２は湾曲しており、遠心室７８４内での流体の遠心作用を受ける流れを増進すると共に、同時に、流体が通路７８２に再び入るのを実質的に防止する。
【０１１２】
遠心部７０６は内面８００、及び外面８０２を有する垂直に指向する円筒壁７９８を更に具える。遠心底面８０４は遠心ハウジングの内面８００に対し、ほぼ垂直な方向に位置し、円筒面８０８によって画成された出力導管８０６を有し、これにより、遠心室７８４から流体を内燃機関吸入マニホールド（図示せず）に排出する。
【０１１３】
取付け延長部８１０は遠心ハウジング７９８の外面８０２に取り付けて示してあり、これにより内燃機関吸気マニホールドに関連するインタフェイス板、又はその他の取付け装置に遠心ハウジングを取り付ける。各取付け延長部８１０は更に孔８１２を有し、これにより取付け延長部に緊締具を通す。
【０１１４】
図２２は本発明による遠心渦装置の付加的代案の実施例を示す。この実施例は遠心渦装置８２０を示す。この遠心渦装置８２０は３個の部分、即ち燃料気化部８２２、主空気部８２４、及び遠心部８２６とから成る。燃料気化部８２２は燃料を予備混合室８３２内に噴霧するため、インゼクタ板８３０内に取り付けられた２個の燃料インゼクタ８２８を有するように示されている。燃料インゼクタ８２８、燃料インゼクタ板８３０、及び予備混合室８３２は図１に図示し、説明した燃料インゼクタ３８、インゼクタ板４２、及び予備混合室４３とほぼ同一の形態を有し、ほぼ同一の作動を行う。
【０１１５】
更に、燃料気化部８２２は渦流室ハウジング８３４と、ハウジング８３８内に位置するジャケット８３６とを有する。渦室ハウジング８３４、ジャケット８３６、及びハウジング８３８は図１、及び図３に図示し、説明した渦室ハウジング５４、ジャケット６０、及びハウジング７４とほぼ同一の形態を有し、ほぼ同一の作動を行う。更に、ハウジング８３８は周囲空気収容室８４０を具え、これにより、周囲空気溝孔８４２から導管８４４、及び孔８４６を経て、周囲空気を収容する。
【０１１６】
予備混合室８３２から、孔８５０を経て、渦室８４８内に、周囲空気、及び燃料を導入する。出力ポート８５２を通じて、空気燃料混合気を中間通路８５４に入れる。この中間通路８５４は中間ハウジング８５８の内壁面８５６によって画成されている。
【０１１７】
図２０に図示し、説明したステップモータ６７６と同一のステップモータ８６０のようなリニアアクチュエータを中間ハウジング８５８内に螺着し、出力ポート８５２に対し、ほぼ一線に同軸にする。更に、ステップモータ８６０は円錐プラグ８６２を有する。このステップモータ８６０はリニアアクチュエータとして働き、軸８６４を介して、出力ポート８５２に対し、円錐プラグ８６２を動かし、出力ポート８５２における流動抵抗を選択的に生ぜしめる。
【０１１８】
軸８６４が完全に突出した位置（図示せず）にある時、円錐プラグ８６２は出力ポート８５２に接触して、この出力ポート８５２をほぼシールし、出力ポート８５２を通る流体の流れを実質的に防止する。図２２に示す完全に後退した位置では、円錐プラグ８６２は流動抵抗を殆ど生ぜず、たとえあっても少ない。従って、円錐プラグ８６２が出力ポート８５２に一層近く位置している程、円錐プラグによって一層多くの流動抵抗が与えられる。このようにして、ステップモータ８６０により、出力ポート８５２に対し、円錐プラグ８６２を選択的に位置決めすることにより、出力ポート８５２を経る流動抵抗を変化させることができる。
【０１１９】
出力ポート８５２から、円錐プラグ８６２を経て、中間通路８５４内に流体が通った後、次に、流体は主空気部８２４に入る。図面に示すように、主空気部８２４は主空気ハウジング８７０、ベンチュリ８７２、及び通常の絞り板８７４を有する。主空気部８２４は図１に図示し、説明した主空気部３４とほぼ同一の形態を有し、ほぼ同一の作動を行う。絞り板８７４を回転可能な中心軸８７８に枢着する。この中心軸は室８７６に通る気流Ｆの方向に横方向に延在する。軸８７８を回転することによって、室８７６内での絞り板８７４の傾斜角を調整し、これにより、空気の容積、従って、機関に収容する空気燃料混合気の量を変更する。
【０１２０】
周囲空気は絞り板８７４を経て、ベンチュリ入力部８８０からベンチュリ８７２内に入る。空気燃料混合気は通路８５４から、一連の長孔８８２を経て、ベンチュリ８７２に入る。このベンチュリ入力部８８２はハウジング８７０の内面８８４内に取り付けられており、ベンチュリ出力部８８６は遠心ハウジング８９０に取り付けられている。
【０１２１】
遠心ハウジング８９０は入口室８９２と、遠心室８９４とを有する。入口室８９２は湾曲する内面８９６と、平坦な内面８９８とによって画成されている。一連の遮板９００は遠心室の内面９０２に対し、接線方向に指向する。各遮板９００は湾曲面９０６と、平坦面９０８とを有する垂直指向壁９０４から成る。各遮板の湾曲面９０６と、平坦面９０８とは先端縁９１０と、後端縁９１２とにおいて交差する。遮板９００は入口室８９２から遠心室８９４内に接線方向に流体を入れるための複数個の接線通路９１４を形成している。
【０１２２】
また、流体を遠心室８９４内に接線方向に入れるため、入口室８９２の平坦端縁８９８と、この平坦端縁８９８に隣接する遮板９００の平坦端縁９０８との間に、接線通路９１６を形成する。同様に、流体を遠心室８９４内に接線方向に入れるため、湾曲面９０６と、室ハウジング８９０に形成された平坦面９２０との間に、接線通路９１８を形成する。
【０１２３】
延長アーム、即ちそらせ板９２４を室ハウジング８９０に一体に形成し、端縁９２６で終わるように図示している。この延長アーム９２４は、遠心室８９４からの流体が入口室８９２を経て、遠心室８９４から出るのを無くし、又は実質的に防止する。実際、延長アーム９２４は入口室８９２に隣接して通る流体を接線通路から離れるように指向させる。延長アーム９２４と、図２１に示す延長部７８８はその形態が僅かに相違するが、基本的には同一の目的を達成しており、即ち、遠心室から逸出して、ベンチュリに戻ろうとする流体の流れを防止している。
【０１２４】
更に、遠心部８２６は図１に図示し、説明した出力通路と同一の形態の出力通路を有する。遠心室の底面９３２も図１、及び図２に示す底挿入部１６６の輪郭に同一の輪郭の底挿入部を有する。
【０１２５】
また、室ハウジング８９に取付け孔９３４、９３６、９３８を形成し、インタフェイス板（図示せず）を介して、内燃機関の吸気マニホールドに室ハウジングを剛固に取り付けられるようにする。
【０１２６】
図２３は本発明による渦室ハウジングの他の代案の実施例を示す。この実施例は底壁９４２と、垂直に延びる円筒壁９４４とを有する渦室ハウジング９４０を示す。円筒壁９４４は内面９４６と、頂端縁９４７と、外面９４８とを有する。渦室９５２は内面９４６と、底壁９４２とによって画成される。渦室ハウジング９４０は図１に図示し、説明した渦室ハウジングと同様に使用される。
【０１２７】
壁９４４の外面９４８から、内面９４６まで貫通して、長い一連の接線溝孔９５０を形成し、これにより渦室９５２の内側の流体の渦流に対し、接線方向に渦室９５２内に、流体を送給する。各溝孔９５０は途切れることなく、壁９４４の頂端縁９４７から、室ハウジングの底壁９４２まで延びているように図示されている。溝孔９５０は環状壁９４４の内側円筒面９４６の接線方向に、指向しており、渦室ハウジング９４０の渦室９５２内に、渦流に対し、接線方向に流体を導入する。
【０１２８】
長い溝孔９５０を通じて、室９５２内に接線方向に流体を導入することにより、それぞれの溝孔９５０に隣接する渦室内面９４６を横切って、迅速に通る連続するシート状の移動する流体を発生させる。これにより、流体の流れの中の未気化の粒子が内面９４６で凝集するのを防止する。未気化流体粒子の液滴が内面９４６に接近し、又は接触すると、溝孔９５０から渦室９５２に入る新たな流体の流れの粒子によって、これ等の液滴は内面から離れるように吹き飛ばされる。希望する結果を達成するため、任意の数の溝孔９５０を採用することができる。更に、種々の幅の溝孔９５０を使用してもよい。レーザ、又は丸鋸、又はその他の任意、適切な方法で、環状壁９４４に溝孔９５０を形成することができる。一例として、溝孔９５０の幅は約 0.25 mm (0.01インチ) である。
【０１２９】
図２４、及び図２５は本発明によるベンチュリの他の代案の実施例を示す。この実施例はハウジング９５６と、このハウジング９５６に形成された一連の接線孔９５８とを有するベンチュリ９５４を示す。接線孔はハウジングの外面９５５から、ハウジングの内面９５７まで延在する。孔９５８はハウジング９５６内に接線方向に形成されており、空気燃料混合気のような流体は孔９５８を通じて、接線方向に、ベンチュリ内部９６０に挿入し、ベンチュリ９５４に通る流れの乱流を増進する。
【０１３０】
図面に示すように、接線孔９５８はベンチュリ９５４の狭いスロート部９５９内に形成されている。狭いスロート部９５９内では、ベンチュリ９５４に通る流体Ｆの速度は最高である。狭いスロート部９５９内の接線孔９５８を通じて、ベンチュリの内部９６０内に、接線方向に、第２流体を導入することにより、２個の流体の乱流と、混合とが増進する。接線孔９５８を通じて、ベンチュリの内部９６０内に接線方向に、第２流体を送給することによって、ベンチュリの内部９６０に通る流れにスピン作用を加え、流れの乱流を増大する。ベンチュリ９５４に通る流れのこの増進された乱流によって、ベンチュリ９５４に通る流体の気化と、均質化とを更に増進する。従って、ベンチュリ入口９６２から、ベンチュリ９６４に、ベンチュリに流体の流れＦが通る際、この流体は接線孔９５８を通り、ベンチュリ内部９６０に入る空気燃料混合気のような第２流体の接線方向の流れに交差し、ベンチュリ９５４に通る乱流の、実質的に螺旋状の流れを生ずる。
【０１３１】
図２６〜図３０は本発明による遠心渦装置の付加的な代案の実施例を示す。図２７は渦室組立体９７２、一次スロート９７３、二次スロート９７７、一次ステップモータ９７９、及び二次ステップモータ９８１を有する遠心渦装置９７０を示す。図２７、及び図２８に示すように、渦室組立体９７２は図２２に示す渦室組立体８２２に類似する形態を有する。特に、燃料を予備混合室９７６内に噴霧するため、インゼクタ板９７５内に取り付けた２個の燃料インゼクタ９７４を有するように、この渦室組立体９７２は示されている。燃料インゼクタ９７４、燃料インゼクタ板９７５、及び予備混合室９７６は図２２に図示し、説明した燃料インゼクタ８２８、燃料インゼクタ板８３０、及び予備混合室８３２とほぼ同一の形態を有し、ほぼ同一に作動する。
【０１３２】
更に、渦室組立体９７２は渦室ハウジング９７８と、燃料気化ハウジング９８２内の渦室ハウジング９７８の周りに位置するジャケット９８０とを具える。渦室ハウジング９７８、ジャケット９８０、及び燃料ハウジング９８２は図２２に図示し、説明した渦室ハウジング８３４、ジャケット８３６、及び燃料気化ハウジング８３８とほぼ同一の形態、及び機能を有する。更に、ハウジング９８２は環状導管９８６を通じて、予備混合室９７６内に周囲空気を入れるため、周囲空気収容ポート９８４（図２８参照）を有する。止ねじ９８８を燃料インゼクタ板９７５に螺着し、渦室組立体９７２内に渦室ハウジング９７８を取り付ける。
【０１３３】
図２７、及び図２８に示すように、孔９９２を通じて、周囲空気と、燃料とを渦室９９０内に導入する。導管９８６を通じて、周囲空気を予備混合室９７６内に導入する。インゼクタ９７４によって、燃料を予備混合室９７６内に送給する。空気、及び燃料は渦室９９０に入る前に、予備混合室内で混合する。次に、一群の接線孔９９２を通じて、渦室９９０内に空気燃料混合気を吸引し、渦室９９０内に流体の渦流を発生させる。この渦流は湿潤粒子の破砕に役立つ。この空気燃料混合気が室９９０内で渦状にスピンした後、この混合気は出力ポート９９４、及び中間ハウジング９９８に形成された孔９９６を経て、一次スロート９７３内に入る。中間ハウジング９９８を接触面９９９に沿って、ハウジング９８２に取り付け、出力ポート９９４と、孔９９６とをほぼ一線にする。
【０１３４】
引き続き図２７を参照し、ステップモータ９７９のような一次リニアアクチュエータを中間ハウジング９９８に螺着し、孔９９６、及び出力ポート９９４に一線にし、同軸にする。このステップモータは図２０に図示し、説明したステップモータ６７６と同一である。ばね押圧軸１００２を介して、円錐プラグ１０００をステップモータ９７８に連結する。このステップモータ９７９はリニアアクチュエータとして作用し、軸１００２を介して、円錐プラグ１０００を孔９９６、及び出力ポート９９４に対し動かし、出力ポート９９４に通る流れを選択的に制限する。
【０１３５】
軸１００２が完全に突出した位置（図示せず）にある時、円錐プラグ１０００は孔９９６に掛合し、実質的に孔９９６をシールし、出力ポート９９４を経て、一次スロート９７３内に流体が通るのを実質的に防止する。軸１００２が完全に後退した位置（図示せず）にある時、円錐プラグ１０００は殆ど流動抵抗を生ぜず、たとえ流動抵抗があっても少ない。従って、円錐プラグ１０００が出力ポート９９４、及び孔９９６に一層近く位置していれば、円錐プラグ１０００によって、一層多くの流動抵抗が与えられる。このようにしてステップモータ９７９によって、孔９９６、及び出力ポート９９４に対し、円錐プラグ１０００を選択的に位置させることにより、出力ポート９９４、及び孔９９６に通る流動抵抗を制御することができる。
【０１３６】
流体が出力ポート９９４から孔９９６を通り、円錐プラグ１０００を経た後、この流体は一次スロート９７３に入る。図面に示すように、スロート９７３は中間ハウジング９９８、及び出力ハウジング１００４に形成した通路から成る。中間ハウジング９９８内に、一次スロート９７３を内面１００６によって画成する。同様に、出力ハウジング１００４内に、一次スロート９７３を内面１００８によって画成する。更に、出力ハウジング１００４は複数個の取付け孔１００５を有し、これにより、遠心渦装置９７０を通常の機関（図示せず）に取り付ける。
【０１３７】
孔１０１０を一次スロート９７３の内面１００６から、二次スロート９７７の内面１００７まで、中間ハウジング９９９に形成する。図面に示すように、一次スロート９７３を二次スロート９７７に相互に連結する通路１１１１を孔１０１０は画成している。従って、通路１１１１を閉塞していない時、流体は通路１１１１を通じて、一次スロート９７３から二次スロート９７７内に流れる。
【０１３８】
また、ステップモータ９８１のような二次リニアアクチュエータを中間ハウジング９９８に螺着し、孔１０１０にほぼ一線に、同軸に配置し、軸１０１４を介して、この二次リニアアクチュエータを円錐プラグ１０１２に連結する。ステップモータ９８１はリニアアクチュエータとして作用し、軸１０１４を介して、孔１０１０に対して、円錐プラグ１０１２を動かし、孔１０１０に対し選択的に流動抵抗を与え、又は孔１０１０を実質的にシールする。
【０１３９】
軸１０１４が完全に突出した位置（図示せず）にある時、円錐プラグ１０１２は孔１０１０に接触し、孔１０１０をほぼシールし、通路１１１１を経て、一次スロート９７３から、二次スロート９７７に流体が流れるのを防止する。軸１０１４が完全に後退した位置（図示せず）にある時、通路１１１１を経て、一次スロート９７３から、二次スロート９７７に通る流体の流れに殆ど流動抵抗を与えず、たとえ与えたとしても僅かな流動抵抗を与える。従って、円錐プラグ１０１２が孔１０１０に一層近く位置していればいる程、円錐プラグ１０１２による一層大きな流動抵抗を生ずる。このようにして、ステップモータ９８１によって円錐プラグ１０１２を孔１０１０に対して、選択的に位置決めすることによって、通路１１１１に通る流れを制御することができる。
【０１４０】
図２７、及び図２９に示すように、一次ベンチュリ１０２０を一次スロート９７３の内面１００８内に位置させる。同様に、二次ベンチュリ１０２２を二次スロート９７７の内面１０２４内に位置させる。ベンチュリ１０２０、及び１０２２は図２２に図示したベンチュリ８７２とほぼ同一の形態を有し、ほぼ同一の作動を行う。しかし、図２４、及び図２５に図示し、説明したベンチュリ９５４をこの実施例でも有効に採用することができる。
【０１４１】
図２９は周囲空気ダクト１０２１、１０２３を通じて、周囲空気が装置９７０に入る状態を示している。空気ダクト１０２１、１０２３はダクト内部通路１０２５、１０２７をそれぞれ画成している。それぞれのベンチュリ開口１０２６、１０２８を通じて、ベンチュリ１０２０、１０２２に入る周囲空気の量を制御するため、絞り板１０３０、１０３２を設ける。絞り板１０３０、１０３２は回転可能の軸１０３４、１０３６にそれぞれ枢着されている。回転可能の軸１０３４、１０３６はベンチュリ１０２０、１０２２に通る気流Ｆの方向の横方向に延在する。軸１０３４、１０３６の回転によって、絞り板１０３０、１０３２の傾斜角をそれぞれ調整し、これにより空気の容積、従って機関に受け入れる空気燃料混合気の量を変更する。図２８に示すように、ねじ１０４０（図２８参照）のような緊締具によって、絞り板１０３０、１０３２をそれぞれ軸１０３４、１０３６に取り付ける。
【０１４２】
図２７、及び図２９に示すように、二次スロート９７７は一層大きく、従って、一次スロート９７３より一層多くの流量を収容することができる。同様に、二次ベンチュリ１０２２は一層大きく、従って、一次ベンチュリ１０２０より一層多くの流量を収容することができる。以下に一層詳細に説明するように、一次スロート９７３、及び一次ベンチュリ１０２０は機関の明瞭な応動性を高くし得るよう、機関の低速範囲に専ら使用される。一層高い機関速度の範囲では、この装置が高い体積効率に達し得るようにするため、一次スロート９７３、及び二次スロート９７７の両方を利用する。
【０１４３】
図２６、図２８、及び図３０において、絞り板１０３０、１０３２の位置をリンク組立体１０４２によって制御する。このリンク組立体１０４２は一次レバーアーム１０４４、連結リンク１０４６、及び二次レバーアーム１０４８から成る。二次アーム１０４８を図２６、及び図３０に示す閉塞位置に向け押圧する。一次アーム１０４４を一次軸１０３４に剛固に取り付けて、一次アーム１０４４が出力ハウジング１００４に対して、回動した時、一次軸１０３４も回動し、一次絞り板１０３０を回動させる。同様に、二次アーム１０４８を二次軸１０３０に剛固に取り付け、二次アーム１０４８が出力ハウジング１００４に対して回転した時、二次軸１０３６、従って、二次絞り板１０３２を回動させる。孔１０５０を介して、リンク１０４６を一次アーム１０４４に枢着する。このリンク１０４６の反対端を二次アーム１０４８に形成された長い溝孔１０５２内に摺動可能に位置させる。
【０１４４】
図２６、及び図３０において、一次絞り板１０３０と、二次絞り板１０３２とがほぼ閉じている状態の閉位置に、リンク組立体１０４２を示している。一次アーム１０４４が一次軸１０３４の周りに、時計方向に回転すると、一次絞り板１０３０（図２８参照）が開き、空気を一次ベンチュリ１０２０（図２９参照）に入れる。更に、一次アーム１０４４が時計方向に回転すると、リンク１０４６は二次アーム１０４８に形成された溝孔１０５２に沿って摺動する。一次アーム１０４４が引き続いて、時計方向に回転すると、一次絞り板１０３０を更に開き、リンク１０４６が溝孔端１０５４に接触するまで、リンク１０４６が溝孔１０５２内を前進する。リンク１０４６が溝孔端１０５４に一旦、接触すると、一次アーム１０４４の付加的な時計方向のいかなる回転でも二次アーム１０４８を回転させ、従って、二次絞り板１０３２を回動させ、二次スロートを開く。一次絞り板１０３０が所定量開くと、リンク１０４６は溝孔端１０５４に接触する。一実施例では、この所定量は約４０％の開放である。
【０１４５】
リンク１０４６が溝孔端１０５４に接触した後も、引き続いて一次アーム１０４４を時計方向に回転することによって、リンク１０４６は二次アーム１０４８を時計方向に回転し、従って、二次絞り板１０３２を開く。即ち、一次絞り板が全開放に向け４０％一旦開くと、リンク１０４６は溝孔端１０５４に掛合し、二次絞り板１０３２は開き始める。図３０に仮想線で示す完全開放位置においては、両方の絞り板１０３０、１０３２が完全に開いているように、一次アーム１０４４、及び二次アーム１０４８の方向に示している。以下に一層詳細に説明するように、一次アーム１０４４を反時計方向に回転させると、一次絞り板１０３０、及び二次絞り板１０３２を閉じる。
【０１４６】
図２７において、二次絞り板１０３２が開き始めると、二次リニアアクチュエータ９８１が孔１０１０内から円錐プラグ１０１２を除去するのが有利である。このようにして、一次絞り板１０３０が４０％のように所定量より少なく開いている時、一次スロート９７３は機関の低速範囲で空気燃料混合気のための独占的な流路である。一次絞り板が所定の量を過ぎて開き続ける時、プラグ１０１２は孔１０１０から除去され、二次絞り板１０３２は開いて、空気燃料混合気を一次スロート９７３、及び二次スロート９７７の両方に通し、機関の高速範囲で体積効率を高める。センサコネクタ１０３７、１０３９（図２６参照）を通じて、軸１０３４、１０３６に接続された絞り板センサによって、絞り板１０３０、１０３２の位置を連続的に監視することができる。従って、このようにして、一層小さい一次スロート９７３を専ら使用することによって、比較的高い明瞭な応動性を機関の低速範囲で達成することができる。次に、機関の高速範囲で、高い体積効率を望む時は、一次スロート９７３に加えて、二次スロート９７７を使用することができる。
【０１４７】
図３１は本発明の他の代案の実施例を示す。図３１の実施例は上述の図２６〜図３０に示す構造、及び方法を４バレル気化器装置に関連して使用することができることを一般に示している。４バレル装置の一側は他方に対し、本来鏡面影像の関係にある。特に、図３１は２個の渦室組立体１０６０、１０６２を示す。各渦室組立体１０６０、１０６２は図２７、及び図２８に図示し、説明した渦室組立体９７２と同一の形態を有し、同一の作動を行う。同様に、図３１の実施例は２個の一次リニアアクチュエータ１０６４、１０６６を示す。一次リニアアクチュエータ１０６４、１０６６は図２７に図示し、説明した一次リニアアクチュエータ９７９と同一の形態を有し、同一の作動を行う。更に、図３１は２個の二次リニアアクチュエータ１０６８、１０７０を示し、これ等アクチュエータは図２７に図示し、説明した二次リニアアクチュエータ９８１と同一の形態を有し、同一の作動を行う。
【０１４８】
リニアアクチュエータ１０６４、１０６８は第１中間ハウジング１０７２内に取り付けられている。中間ハウジング１０７２は図２７に図示し、説明した中間ハウジング９９８と同一の形態を有し、同一の作動を行う。同様に、リニアアクチュエータ１０６６、１０７０も中間ハウジング１０７４内に取り付けられており、この中間ハウジングは図２７に図示し、説明した中間ハウジング９９８と同様の形態を有し、同様に作動する。
【０１４９】
出力ハウジング１０７８は中間ハウジング１０７２と１０７４との間に位置する。出力ハウジング１０７８は図２６〜図２９に図示し、説明した出力ハウジング１００４に類似する。出力ハウジング１０７８と、出力ハウジング１００４との間の第１の相違は出力ハウジング１０７８は２個の隣接する一次スロートと、２個の隣接する二次スロートとを有する形態を有することであり、これにより、２個の一次絞り板１０８０、１０８２、及び２個の二次絞り板１０８４、１０８６にそれぞれ通る流れを収容することである。
【０１５０】
この一次絞り板１０８０、１０８２は図２９に図示し、説明した一次絞り板１０３０と同一の形態を有し、同一の作動を行う。同様に、二次絞り板１０８４、１０８６は図２９に図示し、説明した二次絞り板１０３２と同一の形態を有し、同一の作動を行う。一次絞り板１０８０、１０８２は緊締具１０９２によって、単一の一次軸１０９０に剛固に共に取り付けられている。同様に、二次絞り板１０８４、１０８６は緊締具１０９６によって二次軸１０９４に取り付けられている。
【０１５１】
一次絞り板１０８０、１０８２の位置、及び二次絞り板１０８４、１０８６の位置をリンク装置１１００によって制御する。リンク装置１１００は一次アーム１１０２、二次アーム１１０４、及びリンク１１０６を有する。一次アーム１１０２、二次アーム１１０４、及びリンク１１０６は図２６、及び図３０に図示し、説明したリンク装置１０４２の一次アーム１０４４、二次アーム１０４８、及びリンク１０４６と同一の形態を有し、同一の作動を行う。更に、絞り板の位置を監視するため、絞り板センサ１１０８、１１１０をそれぞれ軸１０９０、１０９４に連結する。通常の取付け孔１１１２によって、出力ハウジング１０７８を通常の機関（図示せず）に容易に取り付けることができる。
【０１５２】
図１〜図６に示す実施例の作動を以下に説明する。燃料のような液体を電子的に制御し、計量し、燃料インゼクタ３８の出力ポート４６からエーロゾルとして、予備混合室４４内に噴霧する。ここでは流体として燃料を使用するが、医薬、及び廃液のような他の流体もここに開示する装置及び方法を使用し、気化し、均質化することができる。
【０１５３】
予備混合室４４内に燃料を噴霧する際、絞り板８４が開いて、或る量の空気をベンチュリ８２内に入れる。絞り板８４によって通す空気の量は燃料インゼクタ３８の出力ポート４６によって、予備混合室内に噴霧される流体の量に比例する。機関が発生する負圧は室ハウジング５４に形成された孔６６を通じて、混合室４４から流体を引っ張る。
【０１５４】
機関が作動する時、機関の吸気マニホールド（図示せず）内に部分真空が導入される。絞り板が閉位置にある場合、予備混合室４４内の低い圧力の空気燃料混合気は孔６６を通じて、接線方向に、渦室６４内に吸引される。特に、渦室のための空気は溝孔９４を通じて、導入され、周囲空気通路１００、及び導管１０２を通じて、周囲空気導管５０内に通る。周囲空気導管５０から、周囲空気は予備混合室内に導入され、ここで、空気燃料混合気として、孔６６に入る前に、この周囲空気はエーロゾル燃料に混合する。
【０１５５】
空気燃料混合気は渦室６４内にほぼ接線方向に導入され、ここで孔６６を通って進入する流体に起因し、流体は回転するように加速される。種々の孔６６に入る流体の量はジャケット６０の存在によって、ほぼ等しくなる。渦室６４に通る流れの低圧端を構成している出力ポート７０に対する孔６６の位置に応じて、ジャケットの内面５６は孔６６に入る流体の流れを制限している。基本的に、ジャケットは出力ポート７０に一層近い孔について高い制限を生じ、低圧端（出力ポート７０）から最も遠い孔については一層少ない制限を生ずる。
【０１５６】
渦室６４内に一旦流体が入ると、流体は回転して加速され、流れの中の流体の未気化の粒子を一層小さな粒子に破砕し、気化し、又は破砕と気化との両方を行う。流体が出力ポート７０に達した時、流体はスピン作用を受ける柱状の流体として、室６４から、中間室１３６内に通る。中間室１３６内では、流体は互いにたたみ込まれ、従って、スピン作用を受ける柱状の流体は潰れ、付加的乱流を生じ、流れの均質化が起きる。
【０１５７】
次に、機関マニホールドによって生じた部分真空により、ベンチュリ８２の長孔１０６を通じて、流れを引っ張る。長孔１０６は通常のベンチュリ室の小さな丸い孔に比較し著しく大きく、数も多い。これは圧力降下を減少させ、６０毎分立方フィート（ＣＦＭ）までの流れを可能にするように設計したからである。ベンチュリ８２内では、空気燃料混合気が孔１０６を通じて入る際、絞り板８４によって収容された周囲空気はこの空気燃料混合気に混合する。周囲空気と空気燃料混合気は更に混合して、ベンチュリ８２内で少なくとも一部均質化する。
【０１５８】
次に、この流体が入口室１４６に入る際、機関マニホールドの部分真空は遠心吸気開口１４４を通じて、この流体を引っ張る。入口室はこの流体を更に混合し、均質化し、この流体を遠心室１５２内に接線方向に指向させる作用をする。特に、入口室１４６内に形成された遮板１５０は接線方向の一連の接線通路２００、２０２、２０４を形成しており、機関マニホールドの部分真空によって、これ等接線通路を通じて、流体を遠心室１５２内に接線方向に引っ張る。
【０１５９】
遠心室１５２内では、流体は回転するように加速され、これにより、最も大きい、又は最も重い粒子をその質量に起因し、遠心室１５２の周縁に向け動かし、ここで、一層重く、即ち一層大きい粒子は内面１５６に衝突し、更に破砕され、一層気化される。
【０１６０】
遠心室１５２の容積を減少させるためには、ベンチュリ出力部１１０におけるベンチュリ８２の内径１１４より、側壁１５６の高さを小さくするのが有利である。更に、遠心室１５２の容積を減少させ、遠心室１５２内の遠心作用を受ける流れを増進するため、延長部材１６２を遠心ハウジングの頂壁１６０から突出する。
【０１６１】
次に、機関の負圧により、流体を４個の出力部材１５４内に引っ張る。流れの中の一層軽い粒子は遠心ハウジング１５２の中心に向け、遠心作用により進むから、遠心室の特殊な形状の頂面１７０の円錐形の部分によって、これ等の一層軽い粒子はこの円錐形の部分１８０に形成された孔１８２内に、及び４個の出力部１５４内に、或る角度で指向する。上述のように、流体を遠心室から排出することによって、遠心室内の遠心作用を受ける流れの外方に向け位置しようとする炭化水素の一般的傾向に起因し、一層均一な炭化水素の分散が得られる。これに反し、１個のみの出力ポートを採用した場合には、遠心作用による流れの外方に向け位置しようとする炭化水素の傾向に起因し、遠心作用による排出は均一性が低い。
【０１６２】
図７に示すこの発明の実施例では、燃料インゼクタ２２２によって、渦形態の装置２２０にエーロゾル燃料を供給する。燃料インゼクタ２２２は予備混合室２４２内に、燃料を噴霧する。また、周囲空気導管２４４を通じて、予備混合室２４２内に周囲空気を導入する。この予備混合室内では、エーロゾル燃料と周囲空気とを混合し、この混合気は空気燃料混合気として、孔２６０を通じて、渦室２４８に入る。
【０１６３】
ジャケット６０（図１参照）と同様に、ジャケット２７２は、差圧の供給体として、種々の孔２６０に通る流れの量を常態化する。図１の渦室５４、及び孔６６に関連して説明したのと同様に、孔２１６を通じて、空気燃料混合気は渦室２４８に入る。この空気燃料混合気がＵ字状の出力ポート３４０から出る際、孔２６２を経て、渦室２５０に入る前に、この混合気は混合室３５０内に入る。この形態においては、孔２６２は渦室２４８から、専ら、空気燃料混合気を受け取り、この空気燃料混合気が室２４８、２５０を経て通る際、空気燃料比をほぼ一定に維持する。
【０１６４】
次に、空気燃料混合気はＵ字状出力ポート３４２を出るが、孔２６４を経て渦室２５２に入る前に、混合室３５２に入る。この流体が渦室２５０、２５２に通る際、ここでも空気燃料混合気の空気燃料比はほぼ一定に留まる。
【０１６５】
室ハウジング２２８の出力ポート３４４を出た後、渦室２５２に関連して説明したものと同様に、流体は引き続いて、混合室３５４、孔２６６、渦室２５４に通る。Ｕ字状出力ポート３４６を出ると、流体は混合室３５６に入り、出力ポート３４８を出る前に、孔２６８を通じて、最終室２５６に入る。
【０１６６】
５個の室２４８〜２５６を通ることによって、流体が１個の室から次の室の前進する際、流体は気化を増大し、気相に変化する。従って、この実施例は、空気燃料混合気を数個の渦室に通し、空気燃料比をほぼ一定に維持する。
【０１６７】
図１５〜図１７に示す実施例にもどり、通常の燃料インゼクタ４２４から第１室４２６内に燃料を噴射する。次に、孔４３６を通じて、この室内に空気を導入し、流体を回転するように加速する。流体が室４２８から、室４３０に前進する際、ノズル４９０に通り、これにより流体に付加的差圧を生ぜしめ、流体の気化を増進する。流体は種々の室４３０〜４３４、及びノズル４８８、４８６を前進し続ける。流体が出力ポート４８４に達した時、流体を長導管４７８に導入し、流体が出力部４７９に達するまで、流体を長導管４７８に通す。
【０１６８】
加速スタンブルの問題を軽減するため、長導管４７８を室４３０〜４３４に選択的に通して、ノズル４９０に直接連通させ、室４２８を選択的に分離させ、流体が室４３０〜４３４を迂回するようにする。
【０１６９】
加速する時、ソレノイド４７６を付勢し、これにより導管ベース４８０を管部４５６の内面４６６に沿って摺動させ、ばね４８２を圧縮し、バイパス導管４７８を前進させて、室４２８に直接連通させる。大部分の例では、この挿入の期間は０．５秒程度である。
【０１７０】
流体が出力部４７９を出た後、流体はベンチュリ５０６に入り、出力通路５３２を通って遠心室に入る。次に、遠心室５４２内で、遠心作用によりスピン作用を受けた後、流体は出力部５４８を通じて、機関マニホールド（図示せず）内に排出される。
【０１７１】
図２０に示す実施例は出力部６６０の有効横断面積を選択的に変化させる。作動に当たり、ステップモータは出力部６６０に対し、円錐プラグ６７８を前進させ、後退させる。従って、円錐プラグを出力部に対し移動させれば、出力部の有効横断面積を選択的に変化させる。
【０１７２】
図２３に渦室ハウジングの代案の実施例を示す。作動に当たり、渦室ハウジング９４０は接線溝孔９５０を通じて、室の内部９５２に流体を収容し、室の内部９５２内に流体の渦流を発生させる。長溝孔９５０は渦室ハウジングの内面９４６に沿ってシート状の流体として、室の内部に接線方向に流体を導入し、内面９４６上で液体の粒子が凝集するのを防止する。流体は室９５２内で渦状にスピン運動をするから、室９５２内での差圧、及び流れの全体の乱流によって流体を気化し、均質化する。
【０１７３】
図２４、及び図２５は本発明の原理により形成したベンチュリ９５６の代案の実施例を示す。作動に当たり、ベンチュリ９５６はベンチュリ導入開口９６２を通じて、流体の流れを受け取る。次に、この流体の流れは、壁９５６に形成された接線孔９５８を通じて、ベンチュリの内部９６０に入る空気燃料混合気と混合して、ベンチュリ９５４を通じて、流体の螺旋形の流れを発生させる。ベンチュリの内部９６０内に、接線方向に空気燃料混合気を導入するから、ベンチュリ９５４に通る流れは螺旋状にスピン運動をする。ベンチュリの内部９６０の狭いスロート部９５９内に空気燃料混合気を導入する。これは、狭いスロート部９５９はベンチュリ９５４内で最も早い空気の流れの領域を有するからである。ベンチュリ９５６を通じて流体の螺旋状の流れを発生させることによって、流体の乱流、従って、気化と、均質化とを実質的に増進する。
【０１７４】
図２６〜図３０は遠心渦装置９７０の付加的実施例を示す。図２７、及び図２８に示すように、この実施例では、燃料インゼクタ９７４によって、予備混合室９７６内に燃料を噴霧する。次に、渦室ハウジング９７８に形成した一群の接線孔９９２を通じて、渦室９９０に接線方向に空気燃料混合気を導入する。次にこの空気燃料混合気を出力ポート９９４から送出する。
【０１７５】
機関が遊転状態にある時、円錐プラグ１０１２を孔１０１０に掛合させて、二次スロート９７７を実質的にシールする。更に、二次絞り板１０３２（図２９参照）は閉塞位置にある。また、機関が遊転状態にある間は、一次円錐プラグ１０００は孔９９６の上方に或る距離だけ上昇しており、空気燃料混合気の僅かな流れを、出力ポート９９６から一次スロート９７３内に通している。遊転時、一次スロート板１０３０（図２９参照）は閉じている。ここで、機関速度が遊転速度から上昇すると、一次リニアアクチュエータ９７９は円錐プラグを孔９９６から上昇させ、一層多くの空気燃料混合気を孔９９６から一次スロート９７３に通す。同時に、一次絞り板１０３０は開き始め、機関に入れる空気燃料混合気の量を増大させる。
【０１７６】
図２６、及び図３０において、一次絞り板１０３０が開き続けると、一次アーム１０４４は時計方向に回転して、二次アーム１０４８に形成された溝孔１０５２の中にリンク１０４６を前進させる。一次絞り板１０３２が約４０％開放のような所定位置まで開いてしまうと、リンク１０４６は溝孔１０５２の端部１０５４に接触し、リンク１０４６は二次アーム１０４８を回転させ始める。次に、二次アーム１０４８の回転によって、軸１０３６の回転により、二次絞り板１０３２を開き始める。
【０１７７】
二次絞り板１０３２の開放と同時に、二次リニアアクチュエータ９８１が円錐プラグ１０１２を孔１０１０から離し、通路１１１１を通り流体を流す。従って、一次絞り板１０３０が所定位置を過ぎて開き続けると、二次絞り板１０３２は開き、通路１１１１を開き、一次スロート９７３と、二次スロート９７７との両方に流体を流し、装置９７０の体積効率を増進する。
【０１７８】
一次絞り板１０３０が開き続けると、リンク組立体１０４２は二次絞り板を開き続け、従って、一次絞り板１０３０が完全に開いた時、二次絞り板１０３２も完全に開く。一次絞り板１０３０、及び二次絞り板１０３２が完全に開いた時、円錐プラグ１０００、１０１２は完全に後退し、一次スロート９７３、及び二次スロート９７７に通る流れを最大にし、体積効率を高くする。次に、機関速度が低下する場合には、一次絞り板１０３０を閉じ始め、二次絞り板１０３２も閉じ始める。二次絞り板が閉じ始めると、円錐プラグ１０１２は孔１０１０に一層近くに動き、通路１１１１を経て二次スロート９７７に流れる流体を制限する。一次絞り板１０３０を所定の位置に再位置決めする時、二次絞り板は完全に閉じ、円錐プラグ１０１２は孔１０１０内に再挿入され、二次スロート９７７をシールし、一次スロート９７３を分離するから、高い明瞭な応動性が得られる。機関速度が遊転速度に向け、更に減速すると、一次絞り板１０３０を閉じ続けることと、一次円錐プラグ１０００が孔９９６に密接するように動くことによって、一次スロート９７３に通る流れは更に減少する。
【０１７９】
従って、図２６〜図３６に示す形態では、高い明瞭な応動性と、高い体積効率が達成される。一次スロート９７３内の流れを分離することによって、高い明瞭な応動性が機関の低速域で達成される。高い体積効率が望ましい機関の高速域では、二次スロート９７７を開き、一次スロート９７３と組み合わせて、二次スロート９７７を使用する。
【０１８０】
図３１は図２６〜図３０に図示し、説明したものに類似する。図３１に示した実施例と、図２６〜図３０に示した実施例との間の第１の相違点は、図３１の実施例は４個のバレル装置用に設計されているのに対し、図２６〜図３０に示す実施例は２個のバレル装置用であることである。
【０１８１】
作動に当たり、図３１に示す実施例は、図２６〜図３０に示す実施例で説明したのと同じように、渦室組立体１０６０、１０６２から一次スロート、及び二次スロート内に空気燃料混合気を収容する。図３１の実施例は図２６〜図３０に示す実施例とほぼ同一に作動するが、相違しているのは、図２６〜図３０に示す実施例では１個の一次スロート、及び１個の二次スロートがあるのに対し、２個の一次スロート、及び２個の二次スロートがあることである。
【０１８２】
図３１に示すリンク組立体１１００は図２６、及び図３０に示したリンク組立体１０４２と同一の形態を有し、同一の作動を行う。一次軸１０９０は一次絞り板１０８０、１０８２を制御し、二次軸１０９４は絞り板１０８４、１０８６を制御する。図２６〜図３０に図示し、説明したのと同様に、一次絞り板１０８０、１０８２を開くと、一次リニアアクチュエータは一次スロート内で円錐プラグを動かし、各一次スロートに流体を流す。次に、リンク組立体１１００により二次絞り板１０８４、１０８６を開くと、二次リニアアクチュエータ１０６８、１０７０は二次スロート内で円錐プラグを動かし、一次スロート、及び二次スロートを経て、流体を流し、体積効率を高くする。同様に、絞り板を閉じると、それぞれのリニアアクチュエータは円錐プラグを動かし、高い明瞭な応動性を達成する。
【０１８３】
ここに説明した種々の装置、及び方法は内燃機関、及び外燃機関のための燃料の気化と、均質化とをめざしている。本明細書に開示された装置、及び方法は他の流体の準備に関連して適用することができる。例えば、この装置、及び方法は肺を通じて血流中に吸入することによって、患者に与える医薬を用意することに関連して、採用することができる。過去、患者の肺を通じて、血流中に直接、通すことができる十分に細かい粒子になるように医薬を十分に破砕し、気化するのが困難であった。本明細書に開示した装置、及び方法はこの要求を満たすことができる。
【０１８４】
本明細書に開示されあ装置、及び方法は焼却、及び廃物管理のため廃棄流体の破断、気化、及び均質化に適用可能であり、有用である。廃棄流体の粒子は非常に細かい粒子寸法に破断され、焼却器内に導入されて、一層効率良く燃やされ、これにより、大気汚染を最少にし、廃棄流体を燃焼させる効率を高くする。
【０１８５】
本発明の構造、及び方法を説明したが、開示したものは好適な実施例を説明したに過ぎず、本発明はこれ等に限定されない。従って、本発明は特許請求の範囲に示した発明の範囲内において、種々の変更を加えることができる。
【図面の簡単な説明】
【図１】  本発明遠心渦装置の上方から見た断面図である。
【図２】  本発明遠心渦装置の図１の２−２線上の断面図である。
【図３】  図１の気化部の一部の拡大切除断面図である。
【図４】  図１のインゼクタ板の平面図である。
【図５】  インゼクタ板の図４の５−５線上の断面図である。
【図６】  図１のインゼクタ板の底面図である。
【図７】  本発明の渦装置の代案の実施例の断面図である。
【図８】  渦室に差圧を供給する部分の図７の８−８線上の断面図である。
【図９】  渦室に差圧を供給する部分の図７の９−９線上の断面図である。
【図１０】  図８の渦ハウジング組立体に差圧を供給する部分の平面図である。
【図１１】  本発明渦室組立体に差圧を供給する代案の実施例の断面図である。
【図１２】  図１１の１２−１２線上の断面図である。
【図１３】  図１１の渦室組立体に差圧を供給する部分の平面図である。
【図１４】  本発明渦室ハウジングの代案の実施例の斜視図である。
【図１５】  本発明遠心渦装置の他の代案の実施例の部分断面図である。
【図１６】  図１５に示す長導管の拡大断面図である。
【図１７】  渦室から長導管が後退した図１５に示す長導管組立体の拡大断面図である。
【図１８】  本発明渦ハウジングの他の実施例の断面図である。
【図１９】  本発明渦室ハウジングの他の実施例の断面図である。
【図２０】  横断面積を調整し得る本発明出力ポートの部分断面図である。
【図２１】  本発明遠心渦装置の代案の実施例の断面図である。
【図２２】  本発明遠心渦装置の他の代案の実施例の断面図である。
【図２３】  本発明渦室の他の代案の実施例の斜視図である。
【図２４】  本発明のベンチュリの代案の実施例の断面図である。
【図２５】  本発明のベンチュリの代案の実施例の図２４の２５−２５線上の部分断面図である。
【図２６】  本発明の遠心渦装置の他の代案の実施例の平面図である。
【図２７】  本発明の遠心渦装置の図２６の２７−２７線上の部分断面図である。
【図２８】  図２６に示す遠心渦装置の部分断面図である。
【図２９】  本発明遠心渦装置の図２８の２９−２９線上の部分断面図である。
【図３０】  図２９に示すリンク組立体の拡大図である。
【図３１】  本発明遠心渦装置の他の代案の実施例の断面図である。
【図１】
0004851005.tif 000002
【図２】
0004851005.tif 000003
【図３】
0004851005.tif 000004
【図４】
0004851005.tif 000005
【図５】
0004851005.tif 000006
【図６】
0004851005.tif 000007
【図７】
0004851005.tif 000008
【図８】
0004851005.tif 000009
【図９】
0004851005.tif 000010
【図１０】
0004851005.tif 000011
【図１１】
0004851005.tif 000012
【図１２】
0004851005.tif 000013
【図１３】
0004851005.tif 000014
【図１５】
0004851005.tif 000015
【図１６】
0004851005.tif 000016
【図１７】
0004851005.tif 000017
【図１８】
0004851005.tif 000018
【図１９】
0004851005.tif 000019
【図１４】
0004851005.tif 000020
【図２０】
0004851005.tif 000021
【図２１】
0004851005.tif 000022
【図２２】
0004851005.tif 000023
【図２３】
0004851005.tif 000024
【図２４】
0004851005.tif 000025
【図２５】
0004851005.tif 000026
【図２６】
0004851005.tif 000027
【図２７】
0004851005.tif 000028
【図２８】
0004851005.tif 000029
【図２９】
0004851005.tif 000030
【図３０】
0004851005.tif 000031
【図３１】
0004851005.tif 000032